(57)【要約】      （修正有）【課題】テーブル等に簡単に設置することができると共に、使用目的によって最適な位置に仕切り板を設置できる被設置面に立設させて用いるパーテーションユニットを提供する。【解決手段】パーテーションユニットは、矩形状の正面アクリル板２１を有する。正面アクリル板の両側辺にはそれぞれ矩形状の左側アクリル板３１と矩形状の右側アクリル板４１とが揺動自在に結合される。左側アクリル板と右側アクリル板それぞれの上側部分は、下側部分よりも幅広に形成されている。またアクリル板の少なくとも１つの下辺には被設置面に立設させる脚部６０が設けられている。【選択図】図１
0003231996.tif 000002
【実用新案登録請求の範囲】
【請求項１】
被設置面に立設させるパーテーションユニットにおいて、
矩形状の正面透明板を有し、
前記正面透明板の両側辺にそれぞれ揺動自在に結合された矩形状の左側透明板と矩形状の右側透明板とを有し、
前記左側透明板と前記右側透明板はそれぞれ上側部分が下側部分よりも幅広に形成されている、パーテーションユニット。
【請求項２】
前記正面透明板、前記左側透明板と前記右側透明板それぞれには長円形の開口が開けられており、前記正面透明板に対して前記左側透明板と前記右側透明板とを閉じて折り重ねた状態でそれぞれの前記開口が連通して単一の把手として機能する請求項１に記載のパーテーションユニット。
【請求項３】
前記正面透明板の上辺は、前記左側透明板の上辺、及び、前記右側透明板の上辺より長く形成されている請求項１に記載のパーテーションユニット。
【請求項４】
前記正面透明板に対し、接続部材を介して前記左側透明板と前記右側透明板を揺動自在に保持する請求項１に記載のパーテーションユニット。
【請求項５】
前記接続部材は、前記左側透明板と前記右側透明板を前記正面透明板の背面側への揺動を規制する請求項４に記載のパーテーションユニット。
【請求項６】
前記正面透明板、前記左側透明板、前記右側透明板の少なくとも１つの下辺には、前記被設置面に立設させる脚部が設けられている請求項１に記載のパーテーションユニット。
【考案の詳細な説明】
【技術分野】
【０００１】
本考案は、テーブルや机の上に設置するパーテーションユニットに関する。
【背景技術】
【０００２】
会議や食事の際に隣席との間に、ウィルス・菌等の飛沫感染防止用の透明のアクリル板やビニール等のパーテーションを用いて仕切ることがある。パーテーションユニットとしては、カウンタテーブル等に設置し、窓口の内外を仕切る対面パーテーションユニットは様々なものが知られている（例えば、特許文献１参照。）。
【０００３】
このようなパーテーションユニットはいわゆる対面式で、かつ、据置型であることから、会議や食事の際に用いるテーブル等に設置するには不向きであった。また、テーブルはその形や寸法等が異なり、また、使用目的等によって適切な設置位置が異なることから、設置が難しかった。
【先行技術文献】
【特許文献】
【０００４】
【特許文献１】実用新案登録第３２２６６６７号公報
【考案の概要】
【考案が解決しようとする課題】
【０００５】
テーブル等に簡単に設置することができると共に、使用目的によって最適な位置に仕切り板を設置させることが望まれている。
【課題を解決するための手段】
【０００６】
本考案の実施形態に係るパーテーションユニットは、矩形状の正面透明板を有し、この正面透明板の両側辺にそれぞれ揺動自在に結合された矩形状の左側透明板と矩形状の右側透明板とを備える。左側透明板と右側透明板それぞれはその上側部分が下側部分よりも幅広に形成されている。
【図面の簡単な説明】
【０００７】
【図１】本考案の第１実施形態に係るパーテーションユニットを示す斜視図。
【図２】図１のパーテーションユニットに組み込まれた接続ユニットの要部を示す斜視図。
【図３】図１のパーテーションユニットに組み込まれた脚部ユニットの要部を示す斜視図。
【図４】図１のパーテーションユニットを展開して示す背面図。
【図５】図１のパーテーションユニットを格納して示す正面図。
【図６】図１のパーテーションユニットの使用例を示す斜視図。
【考案を実施するための形態】
【０００８】
以下、図に基づいて、本考案の実施形態について説明する。  
図１に示すように、本実施形態に係るパーテーションユニット（パーティションユニットともいう）１０は、テーブルや机上に立てた状態で載置して、隣席との間を仕切ることで、ウィルス・菌等の飛沫感染対策を行うように機能する。
【０００９】
図１及び図４に示すように、パーテーションユニット１０は、矩形状の正面透明板２０と、矩形状の左側透明板３０と、矩形状の右側透明板４０とを備えている。さらに、正面透明板２０と左側透明板３０とを接続する接続部材５０、正面透明板２０と右側透明板４０とを接続する接続部材５０を備えている。
【００１０】
正面透明板２０は、透明のアクリル板２１で構成される。アクリル板２１は、ＰＥＴ板であっても良い。アクリル板２１は、例えば、厚さ２ｍｍ、上幅５６０ｍｍ、縦幅６００ｍｍの寸法に形成されている。アクリル板２１は、上辺２１ａ、左辺２１ｂ、下辺２１ｃ、右辺２１ｄを有している。アクリル板２１の中央上部には長円形の開口２２が開けられている。また、下辺２１ｃには、数ｍｍ角の矩形状の２つの切欠部２３が形成されている。
【００１１】
左側透明板３０は、透明のアクリル板３１で構成される。アクリル板３１は、ＰＥＴ板であっても良い。アクリル板３１は、例えば、厚さ２ｍｍ、上幅５００ｍｍ、下幅４２０ｍｍ、縦幅６００ｍｍの寸法に形成されている。アクリル板３１の上側部分は下側部分よりも８０ｍｍだけ幅広に形成される。換言すると、アクリル板３１の上側部分は下側部分よりも８０ｍｍだけ外向に張り出されている。
【００１２】
アクリル板３１は、上辺３１ａ、左辺３１ｂ、下辺３１ｃ、右辺３１ｄを有している。アクリル板３１の中央上部には、開口２２と同形で同寸の長円形の開口３２が開けられている。アクリル板２１に対してアクリル板３１を閉じて重ねた状態で開口３２が開口２２に連通する。また、左辺３１ｂには、幅δ（例えば、８０ｍｍ）の幅広部（張り出し部）３３が設けられている。アクリル板３１の下部には、一対の孔部３４が設けられている。
【００１３】
右側透明板４０は、透明のアクリル板４１で構成される。アクリル板４１は、ＰＥＴ板であっても良い。アクリル板４１は、例えば、厚さ２ｍｍ、上幅５００ｍｍ、下幅４２０ｍｍ、縦幅６００ｍｍの寸法に形成されている。アクリル板４１の上側部分は下側部分よりも８０ｍｍだけ幅広に形成されている。換言すると、アクリル板４１の上側部分は下側部分よりも８０ｍｍだけ外向に張り出されている。
【００１４】
アクリル板４１は、上辺４１ａ、右辺４１ｂ、下辺４１ｃ、左辺４１ｄを有している。アクリル板４１の中央上部には、開口２２と同形で同寸の長円形の開口４２が開けられている。アクリル板２１に対してアクリル板４１を閉じて重ねた状態で開口４２が開口２２に連通する。アクリル板２１に対して左右のアクリル板３１，４１を折り畳んだ状態で開口２２，３２，４２が連通して、アクリル板２１，３１，４１の各厚の３倍の幅を備えた単一の把手として機能する。開口２２，３２，４２は把手としては長円形が好適であるが、長円形に限定されることはなく、楕円、長方形等他の形状であってもよい。
【００１５】
また、右辺４１ｂには、幅δ（例えば、８０ｍｍ）の幅広部４３が設けられている。アクリル板３１の下部には、一対の孔部４４が設けられている。
【００１６】
正面ユニット２０と左側透明板３０、及び、正面ユニット２０と右側透明板４０とは、樹脂材製の接続部材５０によって揺動自在に支持されている。図２には、正面ユニット２０と左側透明板３０との間に設けられた接続部材５０を示しているが、正面ユニット２０と右側透明板４０との間に配置された接続部材５０も同様である。接続部材５０は、正面側に位置するベース板５１と、このベース板５１からアクリル板２１を挟んで一定間隔（アクリル板２１とほぼ同じ寸法）離間して設けられた背面板５２と、ベース板５１と背面板５２とを接続する断面台形状の規制部材５３と、ベース板５１から一定間隔（アクリル板３１とほぼ同じ寸法）離間して設けられた背面板５４と、ベース板５１と背面板５４とを接続する断面台形状の規制部材５５を備えている。
【００１７】
ベース板５１と背面板５２の隙間、及び、ベース板５１と背面板５４の隙間には、アクリル板２１，３１，４１を挿脱自在であり、アクリル板２１，３１，４１が挿入されると、アクリル板２１，３１，４１の自重によって脱落せず、また人の力で容易に外せる程度の力で挟持する。
【００１８】
換言すると、ベース板５１と背面板５２とは横断面コ字形に組まれており、同様にベース板５１と背面板５４とは横断面コ字形に組まれており、それら間隙にアクリル板２１，３１，４１が嵌合される。ベース板５１は湾曲自在であり、それらはヒンジとして機能する。ベース板５１と背面板５２、５４はアクリル板２１，３１，４１の高さと同じ長さを有している。ベース板５１と背面板５２との間隙、ベース板５１と背面板５４との間隙にアクリル板２１，３１，４１が嵌め込まれた状態では、ベース板５１とアクリル板２１，３１，４１との間には上下にわたって隙間なく、ほぼ連続面をなしており、飛沫やゴミ等が残留しにくい構造になっている。
【００１９】
規制部材５３，５５は、ベース板５１側が短く、背面板５２，５４が長く、直角台形の横断面形状を有している。規制部材５３の規制部材５５側の対向面５３ａを有している。規制部材５５の規制部材５３側の対向面５５ａを有している。対向面５３ａと対向面５５ａとの間には隙間Ｓが形成されている。ベース板５１は樹脂材で板状であるため、図２に示すように、アクリル板２１及びアクリル板３１の前面側が凹となるように容易に変形する。
【００２０】
一方、背面側が凹となるように変形させようとすると、規制部材５３の対向面５３ａと規制部材５５の対向面５５ａとが当接し、変形が規制される。規制部材５３の対向面５３ａと規制部材５５の対向面５５ａとが当接する。アクリル板２１に対してアクリル板３１、４１それぞれは平面を構成する程度までは開かず、アクリル板３１，４１の開度が制限され、くの字の状態で係止される。したがって、アクリル板３１、４１はアクリル板２１に対して平面姿勢から手前方に例えば１０度程度屈曲した姿勢で制限される。それによりアクリル板２１に対するアクリル板３１、４１の開度が制限され、手前側及びその反対側に転倒する事態が防止され、自立を確保することができる。
【００２１】
なお、規制部材５３，５５としては直角台形の横断面形状に限定されることはなく、例えば一対の短円柱状のパッド（小片）が接続部材５０の外側の対向面に対峙するように貼り付けられ、アクリル板３１，４１を開いたときに一対の短円柱状のパッドが互いに当接して、開度を制限するようにしてもよい。
【００２２】
アクリル板２１の下辺２１ｃ、アクリル板３１の下辺３１ｃ、及び、アクリル板４１の下辺４１ｃには、脚部６０が着脱自在に取り付けられている。図３には、アクリル板３１に取り付けられた脚部６０を示しているが、アクリル板２１の下辺２１ｃ、及び、アクリル板４１の下辺４１ｃに取り付けられた脚部６０も同様である。脚部６０は、被載置面に載置する細長板状のベース板６１と、このベース板６１上面に略垂直に設けられた細長板状の正面押さえ板６２と、この正面押さえ板６２のアクリル板３１を挟んで一定間隔（アクリル板３１とほぼ同じ寸法）離間して設けられた背面押さえ板６３とを備えている。正面押さえ板６２と背面押さえ板６３の隙間には、アクリル板２１，３１，４１を挿脱自在であり、アクリル板２１，３１，４１が挿入されると、アクリル板２１，３１，４１の自重によって脱落せず、また人の力で容易に外せる程度の力で挟持する。脚部６０は上記の通り着脱自在であり、脚部６０を装着しない状態での使用も可能である。
【００２３】
図５はパーテーションユニット１０の収納状態を示している。すなわち、パーテーションユニット１０は、アクリル板２１の上辺２１ａは、アクリル板３１の上辺３１ａ、及び、アクリル板４１の上辺４１ａより長く形成されているため、左側透明板３０及び右側透明板４０を正面ユニット２０の正面側に折り畳むことが可能である。この時、開口２２，３２，４２が連通するので、これら連通した開口２２，３２，４２に掌を通し、纏めて把持することができ、それによりパーテーションユニット１０を折り畳んだ状態を堅持して容易に可搬することができる。このとき掌に当接する幅は、アクリル板２１，３１，４１各々の厚さの３倍の幅になるので、掌に食い込むことが抑えられ得る。
【００２４】
このように構成されたパーテーションユニット１０においては、次のようにして使用する。なお、図６中Ｈは使用者を示している。パーテーションユニット１０は、図５に示すようにして収納されている。移動する際は開口２２，３２，４２を持って移動させることができる。
【００２５】
使用する場合は、図６に示すように、使用者Ｈは、正面ユニット２０をテーブルＴの上面（被載置面）に、脚部６０を下側にして立てる。そして、正面ユニット２０に対して、左側透明板３０及び右側透明板４０を適当な角度で手前側（使用者Ｈ側）に開く。左側透明板３０及び右側透明板４０を開く角度は、使用者が適宜定める。
【００２６】
アクリル板２１は、前述したように、例えば、上幅５６０ｍｍ寸法に形成されているので、作業、読書、食事等をする場合に、左右方向に十分なスペースを取ることができる。さらに、縦幅６００ｍｍの寸法に形成されているので、対面側へのウィルス・菌等の飛沫拡散を十分に防止できる。なお、切欠部２３が設けられているため、電源コードや通信コード等を通すことができ、使い勝手が良い。
【００２７】
アクリル板３１及びアクリル板４１は、前述したように、例えば、上側部分において上幅５００ｍｍ、縦幅６００ｍｍの寸法の幅広部３３，４３を設けているため、使用者Ｈの口や鼻の高さにおいて、隣席側へのウィルス・菌等の飛沫拡散を十分に防止できる。その一方でアクリル板３１及びアクリル板４１の下側部位は、幅広部３３，４３よりも狭く形成されているため、使用者Ｈの腕や肘に干渉しにくく、使い勝手が良い。
【００２８】
また、使用者Ｈがパーテーションユニット１０を使用中に、配膳をする時や介護をする時などであっても、横方向から手を入れやすく、使い勝手が良い。さらに、テーブルＴから左側透明板３０及び右側透明板４０の下辺３１ｃ，４１ｃがはみ出る量を最小化することができ、使用者Ｈが立ったり座ったりする際に、左側透明板３０及び右側透明板４０に接触することを防止し、パーテーションユニット１０のテーブルＴからの落下等を防止することができる。なお、一対の孔部３４又は孔部４４にケーブルを通し、テーブルや机等にケーブルを固定することで、パーテーションユニット１０の落下等の防止することができる。孔部３４又は孔部４４は省略してもよい。
【００２９】
このようなパーテーションユニット１０によれば、持ち運びが可能であり、テーブルＴ上等に手軽に設置することができる。また、テーブルＴの奥行寸法に応じて左側透明板３０及び右側透明板４０の揺動角度を決めることで、適切な位置に設置することができる。なお、接続部材５０においては、アクリル板２１とアクリル板３１が同一平面上に並ぶように開くようにすると、規制部材５３の対向面５３ａと規制部材５５の対向面５５ａとが当接して、同一平面とはならないことから、アクリル板３１とアクリル板４１を拡げすぎて背面側に倒れることがない。
【００３０】
このように構成されたパーテーションユニット１０によれば、テーブルＴの任意の位置に正面ユニット２０を簡単に設置することができると共に、左側透明板３０及び右側透明板４０を拡げることで、安定させて配置させることができる。また、テーブルＴの奥行に合わせて左側透明板３０及び右側透明板４０を拡げる角度を決めれば、テーブルＴからはみ出すことがない。さらに、アクリル板３１とアクリル板４１の上側部分を幅広に形成し、下側部分を幅狭に形成することで、隣席側へのウィルス・菌等の飛沫拡散を十分に防止できるという機能と、使用者Ｈや介護者等の邪魔になりにくく、使い勝手に優れるという機能を両立させることができる。
【００３１】
例えば、上述した例では透明板としてアクリル板を用いたが、透明であれば他の材質のものを用いても良い。また、透明板の大きさ・形状は目的に応じて種々変更可能である。また、接続部材の大きさ・形状は隣接する透明板を揺動自在に保持できるものであれば、大きさ・形状は適宜変更可能である。例えば、隣接する透明板同士の角度を規制する方法として、規制部材の形状によって当接する角度を決定しているが、例えば、対向面に突起を設けて当接する角度を決定するようにしてもよい。さらに、脚部の形状は安定したものであれば、特に限定されない。
【００３２】
なお、上記実施形態に限定されるものではなく、実施段階ではその要旨を逸脱しない区域で種々に変形することが可能である。また、各実施形態は適宜組み合わせて実施してもよく、その場合組み合わせた効果が得られる。更に、上記実施形態には種々の考案が含まれており、開示される複数の構成要件から選択された組み合わせにより種々の考案が抽出され得る。例えば、実施形態に示される全構成要件からいくつかの構成要件が削除されても、課題が解決でき、効果が得られる場合には、この構成要件が削除された構成が考案として抽出され得る。
【符号の説明】
【００３３】
１０…パーテーションユニット、２０…正面ユニット、２１…アクリル板（正面透明板）、２２…開口、２３…切欠部、３０…左側透明板、３１…アクリル板（左側透明板）、３２…開口、３３…幅広部、３４…孔部、４０…右側透明板、４１…アクリル板（右側透明板）、４２…開口、４３…幅広部、４４…孔部、５０…接続部材、５１…ベース板、５２…背面板、５３…規制部材、５３ａ…対向面、５４…背面板、５５…規制部材、５５ａ…対向面、６０…脚部、６１…ベース板、６２…正面押さえ板、６３…背面押さえ板。
【図１】
0003231996.tif 000003
【図２】
0003231996.tif 000004
【図３】
0003231996.tif 000005
【図４】
0003231996.tif 000006
【図５】
0003231996.tif 000007
【図６】
0003231996.tif 000008